【手続補正書】
【提出日】平成25年11月6日(2013.11.6)
【手続補正１】
【補正対象書類名】特許請求の範囲
【補正対象項目名】全文
【補正方法】変更
【補正の内容】
【特許請求の範囲】
【請求項１】
撮影対象の像を露光させることで、露光量に応じた画像データを取得する画像入力装置であって、
複数回の露光による各露光量から生成された合成画像データを発生する合成画像発生手段と、
前記複数の露光量を用いて、前記合成画像データにおける同じ画素位置の露光変化量を検出する検出手段と、
前記検出手段により検出された各画素位置における露光変化量と予め設定された閾値とを比較し、前記露光変化量が前記閾値を超える画素とそれ以外の画素の位置を区別する為のデータで構成される参照画像データを生成する参照画像生成手段と、
前記合成画像発生手段で得られた合成画像データと、前記参照画像生成手段で得られた参照画像データから、改竄の有無を判定するための検証データを生成する検証データ生成手段と、
前記合成画像データ、前記参照画像データ、及び、前記検証データを出力する出力手段と
を有することを特徴とする画像入力装置。
【請求項２】
第Ｎ回目の露光で得られた露光画像データにおける画素位置ｉの露光量をＥｉ（Ｎ）とし、前記閾値をｔｈ１と、Ｅｉ＝Ｅｉ（１）乃至Ｅｉ（Ｎ）の平均値をＡＶＥ（Ｎ）としたとき、
前記検出手段は、前記複数回の露光である多重露光する際に、全画素が“０”の値を持つように前記参照画像を初期化し、
第Ｎ回目の露光で得られた露光画像データにおける画素位置ｉの露光変化量Ｄｉを、
Ｄｉ  ＝  ｜Ｅｉ（Ｎ）  −  Ｅｉ（Ｎ−１）｜
又は、
Ｄｉ  ＝  ｜Ｅｉ（Ｎ）  −  ＡＶＥ（Ｅｉ（Ｎ−１））｜
として算出し、
Ｄｉ  ＞  ｔｈ１  
を満たす場合に、前記参照画像中の画素位置ｉの画素値を“１”に変更する
ことを特徴とする請求項１に記載の画像入力装置。
【請求項３】
第Ｎ回目の露光で得られた露光画像データにおける画素位置ｉの露光量をＥｉ（Ｎ）とし、前記閾値をｔｈとしたとき、
前記検出手段は、前記多重露光手段により多重露光する際に、全画素が“０”の値を持つように前記参照画像を初期化し、
第Ｎ回目の露光で得られた露光画像データにおける画素位置ｉの露光変化量Ｄｉを、
Ｄｉ  ＝  Ｅｉ（Ｎ）  ／  Ｅｉ（Ｎ−１）
として算出し、
｜Ｄｉ  −  １｜  ＞  ｔｈ１
を満たす場合に、前記参照画像中の画素位置ｉの画素値を“１”に変更する
ことを特徴とする請求項１に記載の画像入力装置。
【請求項４】
更に、前記閾値ｔｈ１より小さい閾値ｔｈ２に対し、全露光回数に至るまで、各画素位置ｉの、
ｔｈ２  ＜  Ｄｉ  ≦  ｔｈ１
を満たす回数Ｃｉを求め、
全露光回数による回数Ｃｉが決まった後、予め設定された閾値ｔｈ３とＣｉとの関係が、
Ｃｉ＞ｔｈ３  
を満たす画素位置と、それ以外の画素位置とを区別する為のデータで構成される第２の参照画像データを生成する第２の参照画像生成手段を有し、
前記検証データ生成手段は、前記第２の参照画像生成手段で得られた第２の参照画像データをも参照して、前記検証データを生成する
ことを特徴とする請求項２に記載の画像入力装置。
【請求項５】
前記合成画像発生手段は、
１回の露光による露光量から１枚の画像データを発生する画像発生手段と、
前記画像発生手段が発生した所定枚数の画像データから１枚の合成画像データを生成する画像合成手段を有することを特徴とする請求項１に記載の画像入力装置。
【請求項６】
前記合成画像発生手段は、各露光による露光量を画素毎に累積し、所定の回数の露光後に蓄積されている露光量を１枚の画像データを、前記合成画像として出力することを特徴とする請求項１に記載の画像入力装置。
【請求項７】
画像データの検証処理を行う画像検証装置であって、
検証対象の画像データファイルから、検証データを抽出し、当該検証データに基づき、前記画像データファイルに対する改竄の有無を判定する第１の判定手段と、
該第１の判定手段で改竄無しと判定された場合、
前記検証対象の画像データファイルに、検証対象の画像データの他に、参照画像データがあるか否かを判定し、
当該参照画像データが存在しないと判定した場合には、前記検証対象の画像データは単一露光による画像データと判定し、
前記参照画像データが存在すると判定した場合には、前記検証対象の画像データは多重露光による合成画像データと判定する第２の判定手段と、
該第２の判定手段で、前記検証対象の画像データファイルに、前記参照画像データがあると判定した場合、前記参照画像データを可視化して表示する表示手段と
を備えることを特徴とする画像検証装置。
【請求項８】
撮影対象の像を露光させることで、露光画像データに応じた画像データを取得する画像入力装置の制御方法であって、
合成画像発生手段が、複数回の露光による各露光量から生成された合成画像を発生する合成画像発生工程と、
検出手段が、前記複数の露光量を用いて、前記合成画像データにおける同じ画素位置の露光変化量を検出する検出工程と、
参照画像生成手段が、前記検出工程により検出された各画素位置における露光変化量と予め設定された閾値とを比較し、前記露光変化量が前記閾値を超える画素とそれ以外の画素の位置を区別する為のデータで構成される参照画像データを生成する参照画像生成工程と、
検証データ生成手段が、前記合成画像発生工程で得られた合成画像データと、前記参照画像生成工程で得られた参照画像データから、改竄の有無を判定するための検証データを生成する検証データ生成工程と、
出力手段が、前記合成画像データ、前記参照画像データ、及び、前記検証データを出力する出力工程と
を有することを特徴とする画像入力装置の制御方法。
【請求項９】
コンピュータに読み込ませ実行させることで、前記コンピュータに、請求項８に記載の各工程を実行させることを特徴とするプログラム。
【請求項１０】
画像データの検証処理を行う画像検証装置の制御方法であって、
第１の判定手段が、検証対象の画像データファイルから、検証データを抽出し、当該検証データに基づき、前記画像データファイルに対する改竄の有無を判定する第１の判定工程と、
第２の判定手段が、
該第１の判定工程で改竄無しと判定された場合、
前記検証対象の画像データファイルに、検証対象の画像データの他に、参照画像データがあるか否かを判定し、
当該参照画像データが存在しないと判定した場合には、前記検証対象の画像データは単一露光による画像データと判定し、
前記参照画像データが存在すると判定した場合には、前記検証対象の画像データは多重露光による合成画像データと判定する第２の判定工程と、
表示手段が、該第２の判定工程によって、前記検証対象の画像データファイルに、前記参照画像データがあると判定された場合、前記参照画像データを可視化して表示する表示工程と
を有することを特徴とする画像検証装置の制御方法。
【請求項１１】
コンピュータに読み込ませ実行させることで、前記コンピュータに、請求項１０に記載の各工程を実行させることを特徴とするプログラム。
【請求項１２】
請求項９又は１１に記載のコンピュータプログラムを格納したコンピュータが読み取り可能な記憶媒体。
【手続補正２】
【補正対象書類名】明細書
【補正対象項目名】０００７
【補正方法】変更
【補正の内容】
【０００７】
この課題を解決するため、例えば本発明の画像入力装置は以下の構成を備える。すなわち、
撮影対象の像を露光させることで、露光量に応じた画像データを取得する画像入力装置であって、
複数回の露光による各露光量から生成された合成画像データを発生する合成画像発生手段と、
前記複数の露光量を用いて、前記合成画像データにおける同じ画素位置の露光変化量を検出する検出手段と、
前記検出手段により検出された各画素位置における露光変化量と予め設定された閾値とを比較し、前記露光変化量が前記閾値を超える画素とそれ以外の画素の位置を区別する為のデータで構成される参照画像データを生成する参照画像生成手段と、
前記合成画像発生手段で得られた合成画像データと、前記参照画像生成手段で得られた参照画像データから、改竄の有無を判定するための検証データを生成する検証データ生成手段と、
前記合成画像データ、前記参照画像データ、及び、前記検証データを出力する出力手段とを有する。